(57)【要約】【課題】市場価格に応じて、実際に顧客が売買する商品の価格を提供する。【解決手段】市場価格から実売買価格を算出するための価格算定情報を、サーバ・コンピュータ１１１から受信し（２０３）、記憶部に格納する格納ステップ（２０４）と、相場商品の市場価格を、サーバ・コンピュータ１１１から受信する受信ステップ（２０６）と、受信ステップで受信した市場価格に対して、記憶部に格納された価格算定情報に基づいて、実売買価格を算出し、表示部に表示する表示ステップ（２０７）とを備えた。【選択図】　　　　図２
2004062529.tif 000002
【特許請求の範囲】
【請求項１】
サーバ・コンピュータとの間で、相場商品の取引を行うクライアント・コンピュータにおける価格表示方法において、
市場価格から実売買価格を算出するための価格算定情報を、前記サーバ・コンピュータから受信し、記憶部に格納する格納ステップと、
相場商品の市場価格を、前記サーバ・コンピュータから受信する受信ステップと、
該受信ステップで受信した前記市場価格に対して、前記記憶部に格納された前記価格算定情報に基づいて、実売買価格を算出し、表示部に表示する表示ステップと
を備えたことを特徴とする価格表示方法。
【請求項２】
前記価格算定情報は、前記サーバ・コンピュータにおいて暗号化されており、
前記格納ステップは、暗号化された価格算定情報と復号鍵とを合わせて受信し、前記記憶部に格納することを特徴とする請求項１に記載の価格表示方法。
【請求項３】
前記受信ステップは、前記サーバ・コンピュータが定期的に送信する前記相場商品の市場価格を受信することを特徴とする請求項１または２に記載の価格表示方法。
【請求項４】
相場商品の取引を行うクライアント・コンピュータに、サーバ・コンピュータが商品の価格を表示させる価格表示方法において、
前記クライアント・コンピュータが、前記サーバ・コンピュータから受信した市場価格から実売買価格を算出するための価格算定情報を、前記クライアント・コンピュータに送信する第１送信ステップと、
相場商品の市場価格を取得して、前記クライアント・コンピュータに送信する第２送信ステップと
を備えたことを特徴とする価格表示方法。
【請求項５】
サーバ・コンピュータとの間で、相場商品の取引を行うクライアント・コンピュータにおける価格表示装置において、
市場価格から実売買価格を算出するための価格算定情報を、前記サーバ・コンピュータから受信して格納する格納手段と、
相場商品の市場価格を、前記サーバ・コンピュータから受信する受信手段と、該受信手段で受信した前記市場価格に対して、前記格納手段に格納された前記価格算定情報に基づいて、実売買価格を算出し、表示部に表示する表示手段と
を備えたことを特徴とする価格表示装置。
【請求項６】
前記価格算定情報は、前記サーバ・コンピュータにおいて暗号化されており、
前記格納手段は、暗号化された価格算定情報と復号鍵とを合わせて受信し、格納することを特徴とする請求項５に記載の価格表示装置。
【請求項７】
前記受信手段は、前記サーバ・コンピュータが定期的に送信する前記相場商品の市場価格を受信することを特徴とする請求項５または６に記載の価格表示装置。
【請求項８】
相場商品の取引を行うクライアント・コンピュータに、商品の価格を表示させるサーバ・コンピュータにおける価格表示装置において、
前記クライアント・コンピュータが、前記サーバ・コンピュータから受信した市場価格から実売買価格を算出するための価格算定情報を、前記クライアント・コンピュータに送信する第１送信手段と、
相場商品の市場価格を取得して、前記クライアント・コンピュータに送信する第２送信手段と、
を備えたことを特徴とする価格表示装置。
【請求項９】
サーバ・コンピュータとの間で、相場商品の取引を行うクライアント・コンピュータに、
市場価格から実売買価格を算出するための価格算定情報を、前記サーバ・コンピュータから受信し、記憶部に格納する格納ステップと、
相場商品の市場価格を、前記サーバ・コンピュータから受信する受信ステップと、
該受信ステップで受信した前記市場価格に対して、前記記憶部に格納された前記価格算定情報に基づいて、実売買価格を算出し、表示部に表示する表示ステップと
を実行させるためのプログラムを記録したコンピュータ読み取り可能な記録媒体。
【請求項１０】
相場商品の取引を行うクライアント・コンピュータに商品の価格を表示させるサーバ・コンピュータに、
前記クライアント・コンピュータが、前記サーバ・コンピュータから受信した市場価格から実売買価格を算出するための価格算定情報を、前記クライアント・コンピュータに送信する第１送信ステップと、
相場商品の市場価格を取得して、前記クライアント・コンピュータに送信する第２送信ステップと
を実行させるためのプログラムを記録したコンピュータ読み取り可能な記録媒体。
【請求項１１】
サーバ・コンピュータとの間で、相場商品の取引を行うクライアント・コンピュータに、
市場価格から実売買価格を算出するための価格算定情報を、前記サーバ・コンピュータから受信し、記憶部に格納する格納ステップと、
相場商品の市場価格を、前記サーバ・コンピュータから受信する受信ステップと、
該受信ステップで受信した前記市場価格に対して、前記記憶部に格納された前記価格算定情報に基づいて、実売買価格を算出し、表示部に表示する表示ステップと
を実行させるためのプログラム。
【請求項１２】
相場商品の取引を行うクライアント・コンピュータに商品の価格を表示させるサーバ・コンピュータに、
前記クライアント・コンピュータが、前記サーバ・コンピュータから受信した市場価格から実売買価格を算出するための価格算定情報を、前記クライアント・コンピュータに送信する第１送信ステップと、
相場商品の市場価格を取得して、前記クライアント・コンピュータに送信する第２送信ステップと
を実行させるためのプログラム。
【発明の詳細な説明】
【０００１】
【発明の属する技術分野】
本発明は、価格表示方法およびその装置に関し、より詳細には、サーバ・コンピュータとクライアント・コンピュータとの間で、相場商品の取引を行うための価格表示方法およびその装置に関する。
【０００２】
【従来の技術】
相場商品とは、経済情勢の変化などに応じて相場が変動することにより、価格が常に変動する商品のことをいう。例えば、相場商品には、外国為替取引、通貨オプション取引、金融先物取引、金利スワップ取引、通貨スワップ取引、債券取引などが含まれる。相場商品の市場価格をリアルタイムで把握するために、顧客は、市況情報提供業者の提供する専用端末を設置して、市場価格の変動をモニタすることができる。近年、インターネットなどのネットワークの普及に伴い、汎用コンピュータを用いて、ウェブ・サーバにアクセスしたり、プッシュ型の情報提供方法を用いて、市況情報を入手することができる。
【０００３】
例えば、特開２００２−５６１８５号公報には、最新のマーケットレートによって値決めと成約をおこなうためのデリバティブ商品販売管理方法が記載されている。ネットワークを介して顧客と仲介者との間で電子的に直接取引を行うので、取引の迅速化、事務処理コストの低減、事故防止を図ることができる。
【０００４】
【発明が解決しようとする課題】
しかしながら、市況情報提供業者の配信する市場価格、および従来の販売管理方法におけるマーケットレートは、市場参加者の間で取引される取引値であり、実際に顧客が仲介者に支払う商品の価格とは異なる。すなわち、顧客に提供される商品の価格は、市場価格に対して、各種の手数料を加味し、取引量・金額によって割引が行われて決定される。顧客は、市況情報提供業者の配信する市場価格に対して、およその手数料を加味して商品の価格を推定して取引を行っていたので、取引締結に際して、正確な商品の価格がわからないという問題があった。
【０００５】
顧客が正確な商品の価格を知るためには、締結が可能な市場価格に基づいて、その都度仲介者に問い合わせる必要がある。しかしながら、上述したように、ネットワークを介した取引の普及により、商品の価格を問い合わせるためのやり取りを行っている間にも市場価格が大きく変動する場合があり、商機を逸してしまうという問題もあった。
【０００６】
本発明は、このような問題に鑑みてなされたもので、その目的とするところは、市場価格に応じて、実際に顧客が売買する商品の価格を提供するための価格表示方法およびその装置を提供することにある。
【０００７】
【課題を解決するための手段】
本発明は、このような目的を達成するために、請求項１に記載の発明は、サーバ・コンピュータとの間で、相場商品の取引を行うクライアント・コンピュータにおける価格表示方法において、市場価格から実売買価格を算出するための価格算定情報を、前記サーバ・コンピュータから受信し、記憶部に格納する格納ステップと、相場商品の市場価格を、前記サーバ・コンピュータから受信する受信ステップと、該受信ステップで受信した前記市場価格に対して、前記記憶部に格納された前記価格算定情報に基づいて、実売買価格を算出し、表示部に表示する表示ステップとを備えたことを特徴とする。
【０００８】
請求項２に記載の発明は、請求項１に記載の前記価格算定情報は、前記サーバ・コンピュータにおいて暗号化されており、前記格納ステップは、暗号化された価格算定情報と復号鍵とを合わせて受信し、前記記憶部に格納することを特徴とする。
【０００９】
請求項３に記載の発明は、請求項１または２に記載の前記受信ステップは、前記サーバ・コンピュータが定期的に送信する前記相場商品の市場価格を受信することを特徴とする。
【００１０】
請求項４に記載の発明は、相場商品の取引を行うクライアント・コンピュータに、サーバ・コンピュータが商品の価格を表示させる価格表示方法において、前記クライアント・コンピュータが、前記サーバ・コンピュータから受信した市場価格から実売買価格を算出するための価格算定情報を、前記クライアント・コンピュータに送信する第１送信ステップと、相場商品の市場価格を取得して、前記クライアント・コンピュータに送信する第２送信ステップとを備えたことを特徴とする。
【００１１】
請求項５に記載の発明は、サーバ・コンピュータとの間で、相場商品の取引を行うクライアント・コンピュータにおける価格表示装置において、市場価格から実売買価格を算出するための価格算定情報を、前記サーバ・コンピュータから受信して格納する格納手段と、相場商品の市場価格を、前記サーバ・コンピュータから受信する受信手段と、該受信手段で受信した前記市場価格に対して、前記格納手段に格納された前記価格算定情報に基づいて、実売買価格を算出し、表示部に表示する表示手段とを備えたことを特徴とする。
【００１２】
請求項６に記載の発明は、請求項５に記載の前記価格算定情報は、前記サーバ・コンピュータにおいて暗号化されており、前記格納手段は、暗号化された価格算定情報と復号鍵とを合わせて受信し、格納することを特徴とする。
【００１３】
請求項７に記載の発明は、請求項５または６に記載の前記受信手段は、前記サーバ・コンピュータが定期的に送信する前記相場商品の市場価格を受信することを特徴とする。
【００１４】
請求項８に記載の発明は、相場商品の取引を行うクライアント・コンピュータに、商品の価格を表示させるサーバ・コンピュータにおける価格表示装置において、前記クライアント・コンピュータが、前記サーバ・コンピュータから受信した市場価格から実売買価格を算出するための価格算定情報を、前記クライアント・コンピュータに送信する第１送信手段と、相場商品の市場価格を取得して、前記クライアント・コンピュータに送信する第２送信手段と、を備えたことを特徴とする。
【００１５】
請求項９に記載の発明は、サーバ・コンピュータとの間で、相場商品の取引を行うクライアント・コンピュータに、市場価格から実売買価格を算出するための価格算定情報を、前記サーバ・コンピュータから受信し、記憶部に格納する格納ステップと、相場商品の市場価格を、前記サーバ・コンピュータから受信する受信ステップと、該受信ステップで受信した前記市場価格に対して、前記記憶部に格納された前記価格算定情報に基づいて、実売買価格を算出し、表示部に表示する表示ステップとを実行させるためのプログラムを記録したコンピュータ読み取り可能な記録媒体であることを特徴とする。
【００１６】
請求項１０に記載の発明は、相場商品の取引を行うクライアント・コンピュータに商品の価格を表示させるサーバ・コンピュータに、前記クライアント・コンピュータが、前記サーバ・コンピュータから受信した市場価格から実売買価格を算出するための価格算定情報を、前記クライアント・コンピュータに送信する第１送信ステップと、相場商品の市場価格を取得して、前記クライアント・コンピュータに送信する第２送信ステップとを実行させるためのプログラムを記録したコンピュータ読み取り可能な記録媒体であることを特徴とする。
【００１７】
請求項１１に記載の発明は、サーバ・コンピュータとの間で、相場商品の取引を行うクライアント・コンピュータに、市場価格から実売買価格を算出するための価格算定情報を、前記サーバ・コンピュータから受信し、記憶部に格納する格納ステップと、相場商品の市場価格を、前記サーバ・コンピュータから受信する受信ステップと、該受信ステップで受信した前記市場価格に対して、前記記憶部に格納された前記価格算定情報に基づいて、実売買価格を算出し、表示部に表示する表示ステップとを実行させるためのプログラムであることを特徴とする。
【００１８】
請求項１２に記載の発明は、相場商品の取引を行うクライアント・コンピュータに商品の価格を表示させるサーバ・コンピュータに、前記クライアント・コンピュータが、前記サーバ・コンピュータから受信した市場価格から実売買価格を算出するための価格算定情報を、前記クライアント・コンピュータに送信する第１送信ステップと、相場商品の市場価格を取得して、前記クライアント・コンピュータに送信する第２送信ステップとを実行させるためのプログラムであることを特徴とする。
【００１９】
【発明の実施の形態】
以下、図面を参照しながら本発明の実施形態について詳細に説明する。
【００２０】
図１は、本発明の一実施形態にかかる相場商品の取引システムを示した構成図である。取引システムは、インターネット１０１に、接続装置１０２ａ〜１０２ｃを介して接続された仲介者のサーバ・コンピュータ１１１と、顧客のクライアント・コンピュータ（以下、コンピュータと略す）１１４ａ〜１１４ｄとから構成されている。仲介者のサーバ・コンピュータ１１１には、取引情報が格納されたデータベース１１２と、市況情報提供業者のサーバ・コンピュータ１１３とが接続されている。
【００２１】
このような構成により、顧客は、コンピュータ１１４ａ〜１１４ｄのブラウザ・アプリケーションを介して、仲介者のサーバ・コンピュータ１１１にアクセスし、相場商品の取引に必要な取引情報を取得する。顧客は、サーバ・コンピュータ１１１を介して、市況情報提供業者のサーバ・コンピュータ１１３が提供する市場価格をモニタする。コンピュータ１１４ａ〜１１４ｄは、取引情報とモニタした市場価格とに基づいて、取引締結における正確な商品の価格を計算して表示部に表示する。
【００２２】
図２は、本発明の一実施形態にかかる相場商品の価格表示方法を示したシーケンス図である。相場商品の取引に至るまでの流れについて説明する。顧客は、コンピュータ１１４ａ〜１１４ｄのブラウザ・アプリケーションを介して、仲介者のサーバ・コンピュータ１１１にログインする（２０１）。サーバ・コンピュータ１１１は、ログイン時のユーザＩＤなどに基づいて、データベース１１２に格納された取引情報にアクセスして、顧客を特定する（２０２）。
【００２３】
図３に、本発明の一実施形態にかかる取引情報を示す。取引情報３００は、予め仲介者によって、顧客毎にデータベース１１２に格納されている。取引情報３００は、顧客を特定するためのユーザＩＤなどの認証情報３０１と、顧客の与信情報、個人情報などの顧客情報３０２と、取引締結時に商品の価格を算出するための価格算定情報３０３とから構成されている。価格算定情報３０３には、例えば、手数料、手数料率、割引率などがあり、取引量、取引金額、取引期間などに応じて、顧客毎に様々なパターンで設定されている。
【００２４】
サーバ・コンピュータ１１１は、顧客が特定されると、価格算定情報３０３をダウンロードする（２０３）。このとき、サーバ・コンピュータ１１１は、価格算定情報３０３を暗号化し、暗号化された価格算定情報３０３と復号鍵とを合わせて配信する。顧客のコンピュータ１１４ａ〜１１４ｄは、暗号化された価格算定情報３０３を記憶部に格納し、顧客からは参照できないようにする。
【００２５】
図２を参照して、顧客は、コンピュータ１１４ａ〜１１４ｄのブラウザ・アプリケーションを介して、相場商品の価格を要求する（２０４）。このとき、コンピュータ１１４ａ〜１１４ｄにおいては、リアルタイム・モニタが起動される。サーバ・コンピュータ１１１は、市況情報提供業者のサーバ・コンピュータ１１３から市場価格を取得して（２０５）、コンピュータ１１４ａ〜１１４ｄに送信する（２０６）。顧客のコンピュータ１１４ａ〜１１４ｄは、サーバ・コンピュータ１１３から取得した市場価格に対して、価格算定情報３０３に基づいて、顧客が実際に売買する際の正確な商品の価格、すなわち実売買価格を算出する（２０７）。
【００２６】
図４に、顧客のコンピュータに表示されるモニタ画面の一例を示す。取引画面４００は、顧客のコンピュータ１１４ａ〜１１４ｄのディスプレイなどの表示部に表示され、例えば、ブラウザ欄４０１とモニタ画面欄４０２とを有している。リアルタイム・モニタは、サーバ・コンピュータ１１１を介して、市況情報提供業者のサーバ・コンピュータ１１３から、商品の市場価格を取得する。リアルタイム・モニタが定期的に、サーバ・コンピュータ１１１に要求して取得してもよいし、例えば、プッシュ型の情報提供方法を用いて定期的にサーバ・コンピュータ１１１から受信してもよい。
【００２７】
顧客のコンピュータ１１４ａ〜１１４ｄは、商品の市場価格を取得するたびに、ログイン時にダウンロードした価格算定情報３０３に基づいて、顧客が実際に売買する際の正確な商品の価格を算出する。すなわち、取得した市場価格に手数料を加え、手数料率、割引率などを適用して、実売買価格を算出する。算出した実売買価格は、モニタ画面欄４０２の価格欄４２１に表示される。
【００２８】
顧客は、価格欄４２１の実売買価格を参照して、取引を締結するか否かを判断する。例えば、ブラウザ欄４０１から、新たに取引締結のために、取引締結用画面からサーバ・コンピュータ１１１にアクセスして、取引締結のための手続きが進行する。サーバ・コンピュータ１１１は、ユーザＩＤに基づいて顧客を特定し、データベース１１２に格納された取引情報の顧客情報３０２から、取引締結のための手続きを行う（２０８）。
【００２９】
【発明の効果】
以上説明したように、本発明によれば、市場価格から実売買価格を算出するための価格算定情報を、サーバ・コンピュータから受信して格納し、相場商品の市場価格を、サーバ・コンピュータから受信し、受信した市場価格に対して、格納された価格算定情報に基づいて、実売買価格を算出するので、市場価格に応じて、実際に顧客が売買する商品の価格を提供することが可能となる。
【図面の簡単な説明】
【図１】本発明の一実施形態にかかる相場商品の取引システムを示した構成図である。
【図２】本発明の一実施形態にかかる相場商品の価格表示方法を示したシーケンス図である。
【図３】本発明の一実施形態にかかる取引情報を示した図である。
【図４】顧客のコンピュータに表示されるモニタ画面を示した図である。
【符号の説明】
１０１　　インターネット
１０２ａ〜１０２ｃ　　接続装置
１１１，１１３　　サーバ・コンピュータ
１１２　　データベース
１１４ａ〜１１４ｄ　　クライアント・コンピュータ
【図１】
2004062529.tif 000003
【図２】
2004062529.tif 000004
【図３】
2004062529.tif 000005
【図４】
2004062529.tif 000006